(57)【特許請求の範囲】
【請求項１】
建物又はエレベータの乗りかご内に埋設されるとともに、開口部を有する収納ケースと、
裏面に、二列状に突設された複数個の板ばねを有するとともに、各板ばねを収納ケース内面に係止することにより、収納ケースの開口部に装着して固定されるフェースプレートとを備え、
フェースプレート裏面に突設された一方の列の板ばねの長さは、他方の列の板ばねの長さよりも短くなっていることを特徴とするエレベータ表示装置。
【請求項２】
建物又はエレベータの乗りかご内に埋設されるとともに、開口部を有する収納ケースと、
裏面に、向かい合って突設された一対の板ばねからなる板ばね対を複数個有するとともに、各板ばね対の一対の板ばねを収納ケース内面に係止することにより、収納ケースの開口部に装着して固定されるフェースプレートとを備え、
少なくとも一つの板ばね対の一対の板ばねの長さは、他の板ばね対の一対の板ばねの長さよりも短くなっていることを特徴とするエレベータ表示装置。
【請求項３】
建物又はエレベータの乗りかご内に埋設されるとともに、開口部を有する収納ケースと、
裏面に、二列状に突設された複数個の板ばねを有するとともに、各板ばねを収納ケース内面に係止することにより、収納ケースの開口部に装着して固定されるフェースプレートとを備え、
フェースプレート裏面に突設された一方の列の板ばねの総数は、他方の列の板ばねの総数より少ないことを特徴とするエレベータ表示装置。
【請求項４】
建物又はエレベータの乗りかご内に埋設されるとともに、開口部を有する収納ケースと、
裏面に、二列状に突設された複数個の板ばねを有するとともに、各板ばねを収納ケース内面に係止することにより、収納ケースの開口部に装着して固定されるフェースプレートとを備え、
フェースプレートの一方の列の板ばねのばね定数は、他方の列の板ばねのばね定数よりも小さくなっていることを特徴とするエレベータ表示装置。
【請求項５】
建物又はエレベータの乗りかご内に埋設されるとともに、開口部を有する収納ケースと、
裏面に、二列状に突設された複数個の板ばねを有するとともに、各板ばねを収納ケース内面に係止することにより、収納ケースの開口部に装着して固定されるフェースプレートとを備え、
収納ケース内面は、板ばねに係合する一対の係合側面を有し、収納ケースの係合側面のうち、一方の係合側面の開口部側に切欠きを設けたことを特徴とするエレベータ表示装置。
【請求項６】
建物又はエレベータの乗りかご内に埋設されるとともに、開口部と背面とを有し、背面に二列状に複数個の板ばねが突設された収納ケースと、
裏面に、向かい合って突設された一対の係合板を有するとともに、収納ケースの板ばねが当該係合板に係合して収納ケースの開口部に装着して固定されるフェースプレートとを備え、
収納ケースの一方の列の板ばねの長さは、他方の列の板ばねの長さよりも短くなっていることを特徴とするエレベータ表示装置。
【発明の詳細な説明】
【技術分野】
【０００１】
本発明は、建物又はエレベータの乗りかご内に埋設されるとともに、板ばねにより係止されるフェースプレートを有するエレベータ表示装置に関する。
【背景技術】
【０００２】
図１４及び図１５により、建物又はエレベータの乗りかご３００内に埋設される従来のエレベータ表示装置について説明する。
【０００３】
図１４及び図１５に示すように、エレベータ表示装置１００は、建物又はエレベータの乗りかご３００内に埋設される収納ケース１０と、裏面３０に板ばね７を有するとともに、この板ばね７を収納ケース１０内面に係止させることにより、収納ケース１０に装着して固定されるフェースプレート５とを備えている。ここで、板ばね７は予め設けられた穴を有し、この穴にフェースプレート５の裏面３０に設けられたスタッド６が挿通され、このスタッド６にナット８を挿着することにより、板ばね７がフェースプレート５の裏面３０に取り付けられている。なお、フェースプレート５の裏面３０には乗りかご３００が乗り場位２００に到着したことを点灯して示すボタン１ａが取り付けられている。
【０００４】
また、図１４及び図１５に示すように、板ばね７は収納ケース側面１１に沿うようにL字に曲げられるとともに、くの字に曲げられた部分を有し、このくの字に曲げられた部分は、板ばね係止部９を構成する。裏面３０に板ばね７が突設されたフェースプレート５は、このくの字に曲げられた板ばね係止部９を収納ケース１０の収納ケース側面１１に弾性的に係止させることにより収納ケース１０に装着し固定される。このように、フェースプレート５の裏面３０に突設された板ばね７を用いてフェースプレート５を収納ケース１０に係止させることにより、ねじ等を露出させずに美観の優れたエレベータ表示装置１００を得ることができる。
【発明の開示】
【発明が解決しようとする課題】
【０００５】
しかしながら、上記構造のエレベータ表示装置１００において、板ばね７を収納ケース１０の収納ケース側面１１に係止することによりフェースプレート５が固定されるため、一般人がフェースプレート５を簡単に取り外せないように、板ばね７の弾性力を強くすることによって、フェースプレート５が収納ケース１０に強く固定されている。このため、フェースプレート５を収納ケース１０に装着して固定する際、強い力で複数の板ばねを同時に手で押さえながら、フェースプレート５を収納ケース１０に挿入する必要があり、その取り付けが困難であった。
【０００６】
本発明は、このような点を考慮してなされたものであり、フェースプレートを収納ケースに堅固に固定することができ、かつフェースプレートを収納ケースに容易に取り付けることのできる表示装置を提供することを目的とする。
【課題を解決するための手段】
【０００７】
本発明は、建物又はエレベータの乗りかご内に埋設されるとともに、開口部を有する収納ケースと、裏面に、二列状に突設された複数個の板ばねを有するとともに、各板ばねを収納ケース内面に係止することにより、収納ケースの開口部に装着して固定されるフェースプレートとを備え、フェースプレート裏面に突設された一方の列の板ばねの長さは、他方の列の板ばねの長さよりも短くなっていることを特徴とするエレベータ表示装置である。
【０００８】
本発明は、建物又はエレベータの乗りかご内に埋設されるとともに、開口部を有する収納ケースと、裏面に、向かい合って突設された一対の板ばねからなる板ばね対を複数個有するとともに、各板ばね対の一対の板ばねを収納ケース内面に係止することにより、収納ケースの開口部に装着して固定されるフェースプレートとを備え、少なくとも一つの板ばね対の一対の板ばねの長さは、他の板ばね対の一対の板ばねの長さよりも短くなっていることを特徴とするエレベータ表示装置である。
【０００９】
本発明は、建物又はエレベータの乗りかご内に埋設されるとともに、開口部を有する収納ケースと、裏面に、二列状に突設された複数個の板ばねを有するとともに、各板ばねを収納ケース内面に係止することにより、収納ケースの開口部に装着して固定されるフェースプレートとを備え、フェースプレート裏面に突設された一方の列の板ばねの総数は、他方の列の板ばねの総数より少ないことを特徴とするエレベータ表示装置である。
【００１０】
本発明は、建物又はエレベータの乗りかご内に埋設されるとともに、開口部を有する収納ケースと、裏面に、二列状に突設された複数個の板ばねを有するとともに、各板ばねを収納ケース内面に係止することにより、収納ケースの開口部に装着して固定されるフェースプレートとを備え、フェースプレートの一方の列の板ばねのばね定数は、他方の列の板ばねのばね定数よりも小さくなっていることを特徴とするエレベータ表示装置である。
【００１１】
本発明は、建物又はエレベータの乗りかご内に埋設されるとともに、開口部を有する収納ケースと、裏面に、二列状に突設された複数個の板ばねを有するとともに、各板ばねを収納ケース内面に係止することにより、収納ケースの開口部に装着して固定されるフェースプレートとを備え、収納ケース内面は、板ばねに係合する一対の係合側面を有し、収納ケースの係合側面のうち、一方の係合側面の開口部側に切欠きを設けたことを特徴とするエレベータ表示装置である。
【００１２】
本発明は、建物又はエレベータの乗りかご内に埋設されるとともに、開口部と背面とを有し、背面に二列状に複数個の板ばねが突設された収納ケースと、裏面に、向かい合って突設された一対の係合板を有するとともに、収納ケースの板ばねが当該係合板に係合して収納ケースの開口部に装着して固定されるフェースプレートとを備え、収納ケースの一方の列の板ばねの長さは、他方の列の板ばねの長さよりも短くなっていることを特徴とするエレベータ表示装置である。
【発明の効果】
【００１３】
本発明によれば、板ばねを収納ケース内面に強く係止して、フェースプレートを収納ケースに堅固に固定することができ、かつフェースプレートを収納ケースに容易に取り付けることのできる表示装置を提供することができる。
【発明を実施するための最良の形態】
【００１４】
第１の実施の形態
以下、本発明によるエレベータ表示装置の第１の実施の形態について、図面を参照して説明する。ここで、図１乃至図４は本発明によるエレベータ表示装置の第１の実施の形態を示す図である。
【００１５】
まず、図１及び図２により、エレベータ表示装置が組み込まれたエレベータ装置の概略について説明する。図１及び図２に示すように、エレベータ装置は、乗り場２００毎に停止するエレベータの乗りかご３００を有している。
【００１６】
図１に示すように、エレベータの乗り場２００には、乗りかご３００を乗り場２００に呼ぶためのホールボタン１、現在の乗りかご３００の位置を知らせるホールインジケータ２、乗りかご３００の到着を知らせるホールランタン３が配置されている。また、図２に示すように、乗りかご３００内には、乗りかご操作盤４が設けられている。
【００１７】
上述した、ホールボタン１、ホールインジケータ２、ホールランタン３及び乗りかご操作盤４は、いずれも本発明によるエレベータ表示装置の一つである。
【００１８】
以下、本発明によるエレベータ表示装置について、ホールボタン１を例にとって説明するが、ホールインジケータ２、ホールランタン３及び乗りかご操作盤４も、ホールボタン１と略同一の取り付け構造をもって、建物としての乗り場２００及び乗りかご３００内に配置される。
【００１９】
図３及び図４に示すように、本発明によるホールボタン（エレベータ表示装置）１は建物の乗り場２００に設置されている。すなわち、ホールボタン１は、建物の乗り場２００の柱２００ａ内に埋設されるとともに、開口部２１と一対の係合側面１１を有する収納ケース１０と、裏面３０に、２個ずつ二列状に突設された板ばね７ａ、７ｂ、を有するとともに、各板ばね７ａ、７ｂを収納ケース１０内面に係止することにより、収納ケース１０の開口部２１に装着して固定されるフェースプレート５とを備えている。ここで、板ばね７ａ、７ｂはいずれもその先端側に収納ケース１０の一対の係合側面１１に係合して板ばね７ａ、７ｂを係止する板ばね係止部９を有している。
【００２０】
上述のように、板ばね７ａ、７ｂはフェースプレート５の裏面３０に二列状に突設されているが、図３及び図４に示すように、裏面３０の右側には長さの長い２個の板ばね７ａからなる板ばね列１７が配置され、裏面３０の左側には長さの短い２個の板ばね７ｂからなる板ばね列１８が配置されている。
【００２１】
なお、各板ばね７ａ、７ｂは予め設けられた穴を有している。この穴にフェースプレート５の裏面３０に設けられたスタッド６を挿置し、次にスタッド６にナット８を締め付けることにより、各板ばね７ａ、７ｂをフェースプレート５の裏面３０に取り付けることができる。また、フェースプレート５の裏面３０には、乗りかご３００が乗り場位２００に到着したことを点灯して示すボタン１ａが取り付けられている。
【００２２】
次に、このような構成からなる本実施の形態の作用について述べる。
【００２３】
すなわち、図３及び図４を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００２４】
まず、フェースプレート５の裏面３０に２個ずつ二列状に突設された板ばね７ａ、７ｂのうち、右側の板ばね列１７の長さの長い２個の板ばね７ａを手で押さえながら、その板ばね係止部９を収納ケース１０に挿入する（図４（ａ）参照）。次に、フェースプレート５の裏面３０に２個ずつ二列状に突設された板ばね７ａ、７ｂのうち、左側の板ばね列１８の長さの短い２個の板ばね７ｂを手で押さえながら、その板ばね係止部９を収納ケース１０に挿入する（図４（ｂ）参照）。次に、フェースプレート５を収納ケース１０に完全に挿入することにより、フェースプレート５を収納ケース１０に装着し固定することができる（図４（ｃ）参照）。
【００２５】
次に、図３及び図４により、裏面３０に板ばね７ａ、７ｂが突設されたフェースプレート５が収納ケース１０内面に係止する方法を詳しく説明する。図３及び図４に示すように、フェースプレート５の裏面３０に突設された板ばね７ａ、７ｂは各々、くの字に曲げられた板ばね係止部９を有する。裏面３０に板ばね７ａ、７ｂが突設されたフェースプレート５は、この板ばね７ａ、７ｂの板ばね係止部９を収納ケース１０の一対の収納ケース側面１１に弾性的に係止させることにより収納ケース１０内に装着して固定される。
【００２６】
上述のように、フェースプレート５の裏面３０に突設された板ばね７ａ、７ｂを収納ケース１０に挿入する際、まず板ばね列１７の長さの長い２個の板ばね７ａを手で押さえ、次に板ばね列１８の長さの短い２個の板ばね７ｂを手で押さえる。このため、長さが同一の板ばねを４個同時に押さえる場合に比べて、フェースプレート５を容易に収納ケース１０に挿入することができる。
【００２７】
また、フェースプレート５の裏面３０に突設された板ばね７ａ、７ｂを収納ケース１０に挿入する際、板ばね列１７の長さの長い２個の板ばね７ａの板ばね係止部９と、板ばね列１８の長さの短い板ばね７ｂの板ばね係止部９とを異なるタイミングで収納ケース１０内に挿入することができる。このため、全ての板ばねの長さが同じ場合と比べて、フェースプレート５を収納ケース１０に挿入する際、小さな力で挿入することができるので、フェースプレート５を容易に収納ケース１０に挿入することができる。
【００２８】
第２の実施の形態
次に図５及び図６により本発明の第２の実施の形態について説明する。図５及び図６に示すエレベータ表示装置の第２の実施の形態は、フェースプレート５の板ばね７ａ、７ｂの構造が異なるのみであり、他は図１乃至図４に示す第１の実施の形態と略同一である。
【００２９】
図５及び図６に示す第２の実施の形態において、図１乃至図４に示す第１の実施の形態と同一部分には同一符号を付して詳細な説明は省略する。
【００３０】
ホールボタン（エレベータ表示装置）１は、建物の乗り場２００の柱２００ａ内に埋設されるとともに、開口部２１と一対の係合側面１１を有する収納ケース１０と、裏面３０に、突設された板ばね７ａ、７ｂを有するとともに、板ばね７ａ、７ｂを収納ケース１０内面に係止することにより、収納ケース１０の開口部２１に装着して固定されるフェースプレート５とを備えている。
【００３１】
ここで、裏面３０に突設された板ばね７ａ、７ｂのうち、長さの長い一対の板ばね７ａは裏面３０の上側に水平方向に並んで配置されて一対の板ばね７ａからなる板ばね対１９が構成され、長さの短い一対の板ばね７ｂは裏面３０の下側に水平方向に並んで配置されて一対の板ばね７ｂからなる板ばね対２０が構成されている。また、各板ばね７ａ、７ｂはいずれもその先端側に収納ケース１０の一対の係合側面１１に係合して板ばね７ａ、７ｂを係止する板ばね係止部９を有している。
【００３２】
上述のように、裏面３０の上側には長さの長い一対の板ばね７ａからなる板ばね対１９が突設され、裏面３０の下側には長さの短い一対の板ばね７ｂからなる板ばね対２０が突設されている。
【００３３】
なお、各板ばね７ａ、７ｂは予め設けられた穴を有している。この穴にフェースプレート５の裏面３０に設けられたスタッド６を挿置し、次にスタッド６にナット８を締め付けることにより、各板ばね７ａ、７ｂをフェースプレート５の裏面３０に取り付けることができる。また、フェースプレート５の裏面３０には、乗りかご３００が乗り場位２００に到着したことを点灯して示すボタン１ａが取り付けられている。
【００３４】
図５及び図６を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００３５】
まず、フェースプレート５の裏面３０に突設された板ばね７ａ、７ｂのうち、上側の板ばね対１９の長さの長い一対の板ばね７ａを手で押さえながら、その板ばね係止部９を収納ケース１０に挿入する。次に、フェースプレート５の裏面３０に突設された板ばね７ａ、７ｂのうち、下側の板ばね対２０の長さの短い一対の板ばね７ｂを手で押さえながら、その板ばね係止部９を収納ケース１０に挿入する。次に、フェースプレート５を収納ケース１０に完全に挿入することにより、フェースプレート５を収納ケース１０に装着し固定する。
【００３６】
上述のように、フェースプレート５の裏面３０に突設された板ばね７ａ、７ｂを収納ケース１０に挿入する際、まず板ばね対１９の長さの長い一対の板ばね７ａを手で押さえ、次に板ばね対２０の長さの短い一対の板ばね７ｂを手で押さえながら、その板ばね係止部９を収納ケース１０に挿入する。このため、長さが同一の板ばねを４個同時に押さえる場合に比べて、フェースプレート５を容易に収納ケース１０に挿入することができる。
【００３７】
また、フェースプレート５の裏面３０に突設された板ばね７ａ、７ｂを収納ケース１０に挿入する際、板ばね対１９の長さの長い板ばね７ａの板ばね係止部９と、板ばね対２０の長さの短い板ばね７ｂの板ばね係止部９とを異なるタイミングで収納ケース１０内に挿入することができる。このため、全ての板ばねの長さが同じ場合と比べて、フェースプレート５を収納ケース１０に挿入する際、小さな力で挿入することができるので、フェースプレート５を容易に収納ケース１０に挿入することができる。
【００３８】
第３の実施の形態
次に図７により本発明の第３の実施の形態について説明する。図７に示すエレベータ表示装置の第３の実施の形態は、フェースプレート５の板ばね７ｃ、７ｄの構造が異なるのみであり、他は図１乃至図４に示す第１の実施の形態と略同一である。
【００３９】
図７に示す第３の実施の形態において、図１乃至図４に示す第１の実施の形態と同一部分には同一符号を付して詳細な説明は省略する。
【００４０】
ホールボタン（エレベータ表示装置）１は、建物の乗り場２００の柱２００ａ内に埋設されるとともに、開口部２１と一対の係合側面１１を有する収納ケース１０と、裏面３０に、突設された３個の板ばね７ｃ、７ｄを有するとともに、各板ばね７ｃ、７ｄを収納ケース１０内面に係止することにより、収納ケース１０の開口部２１に装着して固定されるフェースプレート５とを備えている。ここで、板ばね７ｃ、７ｄはいずれもその先端側に収納ケース１０の一対の係合側面１１に係合して板ばね７ｃ、７ｄを係止する板ばね係止部９を有している。
【００４１】
図７に示すように裏面３０に突設された板ばね７ｃ、７ｄはいずれも同一の長さを有し、フェースプレート５の裏面３０に二列状に３個配置されている。裏面３０の右側には総数２個の一定の長さの板ばね７ｄからなる板ばね列１７が配置され、裏面３０の左側には板ばね７ｄと同一の長さの１個の一定の長さの板ばね７ｃからなる板ばね列１８が配置されている。
【００４２】
なお、各板ばね７ｃ、７ｄは予め設けられた穴を有している。この穴にフェースプレート５の裏面３０に設けられたスタッド６を挿置し、次にスタッド６にナット８を締め付けることにより、各板ばね７ｃ、７ｄをフェースプレート５の裏面３０に取り付けることができる。また、フェースプレート５の裏面３０には、乗りかご３００が乗り場位２００に到着したことを点灯して示すボタン１ａが取り付けられている。
【００４３】
図７を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００４４】
まず、フェースプレート５の裏面３０を収納ケース１０の開口部２１に対し傾斜させて、左側の板ばね列１８を開口部２１近傍まで持ってくる。次に、左側の板ばね列１８の１個の板ばね７ｃを手で押さえながら、その板ばね係止部９を収納ケース１０に挿入する。次に、フェースプレート５の裏面３０が収納ケース１０の開口部２１に対し平行になるように戻しつつ、右側の板ばね列１７の２個の板ばね７ｄを手で押さえながら、その板ばね係止部９を収納ケース１０に挿入する。次に、フェースプレート５を収納ケース１０に完全に挿入することにより、フェースプレート５を収納ケース１０に装着し固定する。
【００４５】
上述のように、フェースプレート５の裏面３０に突設された板ばね７ｃ、７ｄを収納ケース１０に挿入する際、まず板ばね列１８の１個の板ばね７ｃを手で押さえ、次に板ばね列１７の２個の板ばね７ｄを手で押さえる。このため、最初に押さえる板ばね７ｃの数が１個となり、この板ばね７ｃのみを速やかに収納ケース１０内に挿入することができ、フェースプレート５を収納ケース１０に容易に挿入することができる。
【００４６】
第４の実施の形態
次に図８及び図９により本発明の第４の実施の形態について説明する。図８及び図９に示すエレベータ表示装置の第４の実施の形態は、フェースプレート５の板ばね７ｅ、７ｆの構造が異なるのみであり、他は図１乃至図４に示す第１の実施の形態と略同一である。
【００４７】
図８及び図９に示す第４の実施の形態において、図１乃至図４に示す第１の実施の形態と同一部分には同一符号を付して詳細な説明は省略する。
【００４８】
ホールボタン（エレベータ表示装置）１は、建物の乗り場２００の柱２００ａ内に埋設されるとともに、開口部２１と一対の係合側面１１を有する収納ケース１０と、裏面３０に、２個ずつ二列状に突設された板ばね７ｅ、７ｆを有するとともに、各板ばね７ｅ、７ｆを収納ケース１０内面に係止することにより、収納ケース１０の開口部２１に装着して固定されるフェースプレート５とを備えている。ここで、板ばね７ｅ、７ｆはいずれもその先端側に収納ケース１０の一対の係合側面１１に係合して板ばね７ｅ、７ｆを係止する板ばね係止部９を有している。
【００４９】
図８及び図９に示すように、裏面３０に突設された板ばね７ｅ、７ｆはフェースプレート５の裏面３０に二列状に突設され、裏面３０の右側には、ばね定数の大きい２個の板ばね７ｅからなる板ばね列１７が配置され、裏面３０の左側には、ばね定数の小さい２個の板ばね７ｆからなる板ばね列１８が配置されている。なお、板ばね７ｅ及び板ばね７ｆはいずれも同一の長さを有している。
【００５０】
なお、各板ばね７ｅ、７ｆは予め設けられた穴を有している。この穴にフェースプレート５の裏面３０に設けられたスタッド６を挿置し、次にスタッド６にナット８を締め付けることにより、各板ばね７ｅ、７ｆをフェースプレート５の裏面３０に取り付けることができる。また、フェースプレート５の裏面３０には、乗りかご３００が乗り場位２００に到着したことを点灯して示すボタン１ａが取り付けられている。
【００５１】
図８及び図９を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００５２】
まず、フェースプレート５の裏面３０を収納ケース１０の開口部２１に対し傾斜させて、左側の板ばね列１８を開口部２１近傍まで持ってくる。次に、左側の板ばね列１８のばね定数の小さい２個の板ばね７ｆを手で押さえながら、その板ばね係止部９を容収納ケース１０に挿入する。次に、フェースプレート５の裏面３０が収納ケース１０の開口部２１に対し平行になるように戻しつつ、右側の板ばね列１７のばね定数の大きい２個の板ばね７ｅを手で押さえながら、その板ばね係止部９を収納ケース１０に挿入する。次に、フェースプレート５を収納ケース１０に完全に挿入することにより、フェースプレート５を収納ケース１０に装着し固定する。
【００５３】
上述のように、フェースプレート５の裏面３０に突設された７ｅ、７ｆを収納ケース１０に挿入する際、まず板ばね列１８のばね定数の小さい２個の板ばね７ｆを手で押さえ、次に板ばね列１７のばね定数の大きい２個の板ばね７ｅを手で押さえる。このように、最初に押さえる板ばね列１８の板ばね７ｆのばね定数が小さいため、この板ばね７ｆを速やかに収納ケース１０内に挿入することができ、フェースプレート５を収納ケース１０に容易に挿入することができる。
【００５４】
また、後から押さえる板ばね列１７の板ばね７ｅのばね定数が大きいため、最初に押さえる板ばね列１８の板ばね７ｆのばね定数が小さくても板ばね７ｅ、７ｆを収納ケース内面に強く係止して、フェースプレート５を収納ケース１０に堅固に固定することができる。
【００５５】
第５の実施の形態
次に図１０及び図１１により本発明の第５の実施の形態について説明する。図１０及び図１１に示すエレベータ表示装置の第５の実施の形態は、フェースプレート５の板ばね７ｃ、７ｄの構造及び収納ケース１０の構造が異なるのみであり、他は図１乃至図４に示す第１の実施の形態と略同一である。
【００５６】
図１０及び図１１に示す第５の実施の形態において、図１乃至図４に示す第１の実施の形態と同一部分には同一符号を付して詳細な説明は省略する。
【００５７】
ホールボタン（エレベータ表示装置）１は、建物の乗り場２００の柱２００ａ内に埋設されるとともに、開口部２１と一対の係合側面１１を有する収納ケース１０と、裏面３０に、突設された板ばね７ｃ、７ｄを有するとともに、各板ばね７ｃ、７ｄを収納ケース１０内面に係止することにより、収納ケース１０の開口部２１に装着して固定されるフェースプレート５とを備えている。ここで、板ばね７ｃ、７ｄはいずれもその先端側に収納ケース１０の一対の係合側面１１に係合して板ばね７ｃ、７ｄを係止する板ばね係止部９を有している。
【００５８】
図１０及び図１１に示すように、裏面３０に突設された板ばね７ｃ、７ｄは、フェースプレート５の裏面３０に二列状に突設され、裏面３０の右側には２個の板ばね７ｄからなる板ばね列１７が配置され、裏面３０の左側には２個の板ばね７ｃからなる板ばね列１８が配置されている。また、板ばね７ｃ、７ｄは、いずれも同一の長さを有している。さらに、収納ケース１０には、板ばね列１８側の係合側面１１の開口部２１側に切欠き１２が形成されている。
【００５９】
なお、各板ばね７ｃ、７ｄは予め設けられた穴を有している。この穴にフェースプレート５の裏面３０に設けられたスタッド６を挿置し、次にスタッド６にナット８を締め付けることにより、各板ばね７ｃ、７ｄをフェースプレート５の裏面３０に取り付けることができる。また、フェースプレート５の裏面３０には、乗りかご３００が乗り場位２００に到着したことを点灯して示すボタン１ａが取り付けられている。
【００６０】
図１０及び図１１を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００６１】
まず、フェースプレート５の裏面３０に２個ずつ二列状に突設された板ばね７ｃ、７ｄのうち、右側の板ばね列１７の２個の板ばね７ｄを手で押さえながら、その板ばね係止部９を収納ケース１０に挿入する（図１１（ａ）参照）。次に、フェースプレート５の裏面３０に２個ずつ二列状に突設された板ばね７ｃ、７ｄのうち、左側の板ばね列１８の２個の板ばね７ｃを手で押さえながら、その板ばね係止部９を収納ケース１０に挿入する（図１１（ｂ）参照）。次に、フェースプレート５を収納ケース１０に完全に挿入することにより、フェースプレート５を収納ケース１０に装着し固定する（図１１（ｃ）参照）。
【００６２】
上述のように、フェースプレート５の裏面３０に突設された板ばね７ｃ、７ｄを収納ケース１０に挿入する際、まず板ばね列１７の２個の板ばね７ｄを手で押さえ、次に板ばね列１８の２個の板ばね７ｃを手で押さえる。この場合、切欠き１２が設けられているため、フェースプレート５を傾斜させることなく板ばね７ｃ、７ｄをスムーズに収納ケース１０内に挿入して、フェースプレート５を容易に収納ケース１０に挿入することができる。
【００６３】
また、図１０及び図１１において、フェースプレート５の裏面３０に突設された板ばね７ｃ、７ｄを収納ケース１０に挿入する際、板ばね列１８の板ばね７ｃの板ばね係止部９と、板ばね列１７の板ばね７ｄの板ばね係止部９とを異なるタイミングで収納ケース１０を挿入することができる。このため、フェースプレート５を収納ケース１０に挿入する際、全ての板ばね７ｃ、７ｄの板ばね係止部９が同時に収納ケース１０の側面１１に係止される場合と比べて、小さな力で挿入することができるので、フェースプレート５を収納ケース１０に容易に挿入することができる。
【００６４】
第６の実施の形態
次に図１２及び図１３により本発明の第６の実施の形態について説明する。図１２及び図１３に示すエレベータ表示装置の第６の実施の形態は、フェースプレート５の構造及び収納ケース１０の構造が異なるのみであり、他は図１乃至図４に示す第１の実施の形態と略同一である。
【００６５】
図１０及び図１１に示す第５の実施の形態において、図１乃至図４に示す第１の実施の形態と同一部分には同一符号を付して詳細な説明は省略する。
【００６６】
ホールボタン（エレベータ表示装置）１は、建物の乗り場２００の柱２００ａ内に埋設されるとともに、開口部２１と背面１３とを有し、背面１３に板ばね７ａ、７ｂが突設された収納ケース１０と、裏面３０に、向かい合って突設された一対の係合板１４ａ、１４ｂを有するとともに、収納ケース１０の板ばね７ａ、７ｂが当該係合板１４ａ、１４ｂに係合して収納ケース１０の開口部２１に装着して固定されるフェースプレート５とを備えている。ここで、板ばね７ａ、７ｂはいずれもその先端側にフェースプレート５の一対の係合板１４ａ、１４ｂに係合して板ばね７ａ、７ｂを係止する板ばね係止部９を有している。
【００６７】
図１２及び図１３に示すように、収納ケース１０の背面１３に突設された板ばね７ａ、７ｂは収納ケース１０の背面１３に二列状に配置されている。背面１３の左側には長さの長い２個の板ばね７ａからなる板ばね列１７が配置され、背面１３の右側には長さの短い２個の板ばね７ｂからなる板ばね列１８が配置されている。
【００６８】
なお、各板ばね７ａ、７ｂは予め設けられた穴を有している。この穴に収納ケース１０の背面１３に設けられたスタッド６を挿置し、次にスタッド６にナット８を締め付けることにより、各板ばね７ａ、７ｂを収納ケース１０の背面１３に取り付けることができる。また、フェースプレート５の裏面３０には、乗りかご３００が乗り場位２００に到着したことを点灯して示すボタン１ａが取り付けられている。
【００６９】
図１２及び図１３を用いて、ホールボタン（エレベータ表示装置）１の固定方法について説明する。具体的にはホールボタン１のフェースプレート５を、建物の乗り場２００の柱２００ａ内に埋設された収納ケース１０に装着して固定する方法について詳述する。
【００７０】
まず、裏面３０に一対の係合板１４ａ、１４ｂが突設されたフェースプレート５を、背面１３に二列状に板ばね７ａ、７ｂが突設された収納ケース１０内に挿入する。このとき、収納ケース１０の背面１３の左側に配置された板ばね列１７の長さの長い板ばね７ａの板ばね係合部９と、収納ケース１０の左側側面１１ａとの間に、フェースプレート５の裏面３０の左側に突設された係合板１４ａが挿入される（図１３（ａ）参照）。次に、収納ケース１０の背面１３の右側に配置された板ばね列１８の長さの短い板ばね７ｂの板ばね係合部９と、収納ケース１０の右側側面１１ｂとの間に、フェースプレート５の裏面３０の右側に突設された係合板１４ｂが挿入される（図１３（ｂ）参照）。次に、裏面３０に一対の係合板１４ａ、１４ｂが突設されたフェースプレート５を、背面１３に板ばね７ａ、７ｂが突設された収納ケース１０に完全に挿入するにより、フェースプレート５を収納ケース１０に装着し固定する（図１３（ｃ）参照）。この場合、収納ケース１０の板ばね７ａ、７ｂが、係合板１４ａ、１４ｂに係合して、フェースプレート５が収納ケース１０内に堅固に固定される。
【００７１】
また、フェースプレート５の裏面３０に突設された係合板１４ａ、１４ｂを収納ケース１０に挿入する際、板ばね列１７の長さの長い２個の板ばね７ａの板ばね係止部９と、板ばね列１８の長さの短い板ばね７ｂの板ばね係止部９とを異なるタイミングで収納ケース１０内に挿入することができる。このため、まず板ばね列１７の板ばね７ａと係合板１４ａとを係合させ、次に板ばね列１８の板ばね７ｂと係合板１４ｂとを係合させることができ、これら板ばね７ａと係合板１４ａ及び板ばね７ｂと係合板１４ｂを同時に係合させる場合に比べて、フェースプレート５を収納ケース１０に挿入する際、小さな力で挿入することができるので、フェースプレート５を容易に収納ケース１０に挿入することができる。
【図面の簡単な説明】
【００７２】
【図１】エレベータの乗り場を示す構成図。
【図２】エレベータの乗りかご内を示す構成図。
【図３】本発明によるエレベータ表示装置の第１の実施の形態を示す斜視図。
【図４】本発明によるエレベータ表示装置の第１の実施の形態を示す平面図。
【図５】本発明によるエレベータ表示装置の第２の実施の形態を示す斜視図。
【図６】本発明によるエレベータ表示装置の第２の実施の形態を示す平面図。
【図７】本発明によるエレベータ表示装置の第３の実施の形態を示す斜視図。
【図８】本発明によるエレベータ表示装置の第４の実施の形態を示す斜視図。
【図９】本発明によるエレベータ表示装置の第４の実施の形態を示す平面図。
【図１０】本発明によるエレベータ表示装置の第５の実施の形態を示す斜視図。
【図１１】本発明によるエレベータ表示装置の第５の実施の形態を示す平面図。
【図１２】本発明によるエレベータ表示装置の第６の実施の形態を示す斜視図。
【図１３】本発明によるエレベータ表示装置の第６の実施の形態を示す平面図。
【図１４】従来技術を示す斜視図。
【図１５】従来技術の実施の形態を示す平面図。
【符号の説明】
【００７３】
１    ホールボタン
１ａ    ボタン
２    ホールインジケータ
３    ホールランタン
４    かご内操作盤
５    フェースプレート
６    スタッド
７、７ｃ、７ｄ  板ばね
７ａ    板ばね（長い）
７ｂ    板ばね（短い）
７ｅ    板ばね（ばね定数が大きい）
７ｆ    板ばね（ばね定数が小さい）
８    ナット
９    板ばね係止部
１０    収納ケース
１１、１１ａ、１１ｂ    側面
１２    切欠き
１３    背面
１４ａ、１４ｂ    係合板
１７、１８    板ばね列
１９、２０    板ばね対
２１    開口部
３０    裏面
２００    乗り場
２００ａ    柱
３００    乗りかご
【図１】
0004675189.tif 000002
【図２】
0004675189.tif 000003
【図３】
0004675189.tif 000004
【図４】
0004675189.tif 000005
【図５】
0004675189.tif 000006
【図６】
0004675189.tif 000007
【図７】
0004675189.tif 000008
【図８】
0004675189.tif 000009
【図９】
0004675189.tif 000010
【図１０】
0004675189.tif 000011
【図１１】
0004675189.tif 000012
【図１２】
0004675189.tif 000013
【図１３】
0004675189.tif 000014
【図１４】
0004675189.tif 000015
【図１５】
0004675189.tif 000016